(57)【要約】【課題】ロケータ機能を有するリモコン装置を備えた電子機器において、簡単な構成で、リモコン装置の識別コードを設定することができる電子機器を提供することを目的とする。【解決手段】電子機器１は、電子機器本体２とリモコン装置３とを備えている。電子機器本体２において、ＣＰＵ１０は、リモコン装置３の識別コードを設定する際に、リモコン装置３の識別コードを設定するための識別コード設定信号を含む位置検出信号を生成する。また、位置検出信号送信部９は、識別コード設定信号を含む位置検出信号をリモコン装置３に送信する。リモコン装置３において、ＣＰＵ１７は、位置検出信号受信部１５が識別コード設定信号を含む位置検出信号を受信した場合に、識別コード設定信号に基づいて、リモコン装置３の識別コードを設定する。【選択図】図１
2009253451.tif 000002
【特許請求の範囲】
【請求項１】
電子機器本体と、前記電子機器本体を遠隔操作するためのリモコン信号を送信するリモコン装置とを備えた電子機器において、
前記電子機器本体は、前記リモコン信号を受信するリモコン信号受信部と、前記リモコン装置の位置を検出するための位置検出信号を生成する第１の制御部と、前記位置検出信号を送信する位置検出信号送信部とを備え、
前記リモコン装置は、前記電子機器本体の操作を行うための操作部と、前記操作部の操作内容に対応した前記リモコン信号を送信するリモコン信号送信部と、前記位置検出信号を受信する位置検出信号受信部と、前記リモコン装置の位置を報知する報知部と、前記位置検出信号受信部が前記位置検出信号を受信した場合に、前記報知部に前記リモコン装置の位置を報知させる第２の制御部とを備え、
前記第１の制御部は、前記リモコン装置の識別コードを設定する際に、前記リモコン装置の識別コードを設定するための識別コード設定信号を含む前記位置検出信号を生成するとともに、前記位置検出信号送信部は、前記識別コード設定信号を含む前記位置検出信号を送信し、前記第２の制御部は、前記位置検出信号受信部が前記識別コード設定信号を含む前記位置検出信号を受信した場合に、前記識別コード設定信号に基づいて、前記リモコン装置の識別コードを設定することを特徴とする電子機器。
【請求項２】
前記第１の制御部は、前記リモコン装置の識別コードを設定する際に、前記識別コード設定信号を含む前記位置検出信号を、前記識別コード設定信号を含まない前記位置検出信号の強度よりも弱い強度の信号として生成することを特徴とする請求項１に記載の電子機器。
【請求項３】
前記第２の制御部は、前記識別コード設定信号に基づいて、前記リモコン装置の識別コードを設定した場合に、前記報知部に前記リモコン装置の識別コードの設定終了を報知させることを特徴とする請求項１または請求項２に記載の電子機器。
【請求項４】
前記報知部は、音声、振動、および光のうちの少なくとも１つを発生することにより、前記リモコン装置の位置を報知することを特徴とする請求項１乃至請求項３のいずれか１項に記載の電子機器。
【請求項５】
前記電子機器本体は、テレビ受信装置本体であることを特徴とする請求項１乃至請求項４のいずれか１項に記載の電子機器。
【発明の詳細な説明】
【技術分野】
【０００１】
本発明は、リモコン装置を備えたテレビ受信装置等の電子機器に関する。
【背景技術】
【０００２】
一般に、テレビ受信装置等の電子機器は、電子機器本体を遠隔操作するためのリモコン装置を備えている。例えば、テレビ受信装置においては、リモコン装置に設けられた操作部の操作内容に対応して、電子機器本体を遠隔操作するための制御信号（以下、「リモコン信号」という。）をリモコン装置からテレビ受信装置本体に送信することにより、テレビ本体のチャンネルや音量等を操作するように構成されている。
【０００３】
また、一般に、リモコン装置を備えた電子機器においては、リモコン装置の置き忘れや紛失により、リモコン装置の所在が判らなくなった場合に、当該リモコン装置を探索するためのロケータ機能（位置検出機能）が採用されている。より具体的には、例えば、リモコン装置探索用の操作ボタンと、リモコン装置の位置を検出するための信号（以下、「位置検出信号」という。）を送信するための位置検出信号送信部を備えた電子機器本体と、電子機器本体から送信された位置検出信号を受信する位置検出信号受信部と、リモコン装置の位置を報知するための報知部を備えたリモコン装置からなる電子機器が開示されている。そして、リモコン装置の所在が判らなくなった場合は、電子機器本体の操作スイッチにて所定の操作を実行すると、位置検出信号送信部から所定の位置検出信号が送信され、リモコン装置において、位置検出信号を受信すると、報知部において、所定期間、音声が発生して、リモコン装置の位置をユーザーに報知する構成となっている（例えば、特許文献１参照）。
【０００４】
また、リモコン装置を備えたテレビ受信装置の近隣（例えば、隣接した部屋等）に、他のリモコン装置を備えた他のテレビ受信装置が存在する場合、所在が判らなくなったリモコン装置を探索するために、位置検出信号が送信されると、探索しているリモコン装置のみならず、他のリモコン装置からも音声が発生してしまうという不都合が生じていた。
【０００５】
そこで、このような不都合を回避すべく、リモコン装置に識別コード（ＩＤコード）を設定する方法が採用されている。このような方法により、電子機器本体であるテレビ本体において設定された識別コードと同じ識別コードが設定されたリモコン装置のみから音声を発生して報知することが可能になるため、複数の電子機器に付属する複数のリモコン装置が存在する場合であっても、所在が判らなくなった特定のリモコン装置を探索することができると記載されている（例えば、特許文献２参照）。
【０００６】
また、上記特許文献２に記載の電子機器においては、識別コードを設定する方法として、電子機器本体とリモコン装置の双方に、識別コードをユーザーが任意に設定・変更するための識別コード設定手段を備える構成としている。また、例えば、リモコン装置の識別コードを設定する方法として、リモコン装置に設けられた操作部を構成する複数の操作キーにより設定する方法が開示されている（例えば、特許文献３参照）。
【特許文献１】特開２０００−９１９３０号公報
【特許文献２】特開２００２−３４５０５４号公報
【特許文献３】実開平６−４１２４０号公報
【発明の開示】
【発明が解決しようとする課題】
【０００７】
ここで、上記特許文献２に記載の電子機器においては、電子機器本体とリモコン装置において、別々に識別コードをユーザーが任意に設定する必要があるため、識別コードの設定が煩雑であり、ユーザーにとって不便であるという問題があった。特に、上記特許文献３に記載の方法では、例えば、リモコン装置に設けられた操作部を構成する複数の操作キーを同時に押下する方法により識別コードを設定するため、識別コードの設定が非常に煩雑であり、ユーザーにとって非常に不便であるという問題があった。
【０００８】
そこで、本発明は、上述の問題に鑑みてなされたものであり、ロケータ機能を有するリモコン装置を備えた電子機器において、簡単な構成で、リモコン装置の識別コードを設定することができる電子機器を提供することを目的とする。
【課題を解決するための手段】
【０００９】
上記目的を達成するために、請求項１に記載の発明は、電子機器本体と、電子機器本体を遠隔操作するためのリモコン信号を送信するリモコン装置とを備えた電子機器において、電子機器本体は、リモコン信号を受信するリモコン信号受信部と、リモコン装置の位置を検出するための位置検出信号を生成する第１の制御部と、位置検出信号を送信する位置検出信号送信部とを備え、リモコン装置は、電子機器本体の操作を行うための操作部と、操作部の操作内容に対応したリモコン信号を送信するリモコン信号送信部と、位置検出信号を受信する位置検出信号受信部と、リモコン装置の位置を報知する報知部と、位置検出信号受信部が位置検出信号を受信した場合に、報知部にリモコン装置の位置を報知させる第２の制御部とを備え、第１の制御部は、リモコン装置の識別コードを設定する際に、リモコン装置の識別コードを設定するための識別コード設定信号を含む位置検出信号を生成するとともに、位置検出信号送信部は、識別コード設定信号を含む位置検出信号を送信し、第２の制御部は、位置検出信号受信部が識別コード設定信号を含む位置検出信号を受信した場合に、識別コード設定信号に基づいて、リモコン装置の識別コードを設定することを特徴とする。
【００１０】
同構成によれば、電子機器本体とリモコン装置において、別々に識別コードをユーザーが設定する必要がなくなるため、識別コードの設定が非常に容易になり、ユーザーの利便性が向上する。
【００１１】
請求項２に記載の発明は、請求項１に記載の電子機器であって、第１の制御部は、リモコン装置の識別コードを設定する際に、識別コード設定信号を含む位置検出信号を、識別コード設定信号を含まない位置検出信号の強度よりも弱い強度の信号として生成することを特徴とする。
【００１２】
同構成によれば、リモコン装置を備えた電子機器の近隣（例えば、隣接した部屋等）に、他のリモコン装置を備えた他の電子機器が存在する場合であっても、識別コードを設定するために送信される、識別コード設定信号を含む位置検出信号の到達範囲が狭くなるため、識別コードを設定するリモコン装置のみならず、他のリモコン装置の識別コードも設定してしまうという不都合を回避することが可能になる。
【００１３】
請求項３に記載の発明は、請求項１または請求項２に記載の電子機器であって、第２の制御部は、識別コード設定信号に基づいて、リモコン装置の識別コードを設定した場合に、報知部にリモコン装置の識別コードの設定終了を報知させることを特徴とする。同構成によれば、リモコン装置の識別コードの設定終了を利用者に報知することが可能になる。
【００１４】
請求項４に記載の発明は、請求項１乃至請求項３のいずれか１項に記載の電子機器であって、報知部は、音声、振動、および光のうちの少なくとも１つを発生することにより、リモコン装置の位置を報知することを特徴とする。同構成によれば、簡単な構成で、所在が判らなくなったリモコン装置の位置を報知することができる。
【００１５】
なお、請求項５に記載の発明のように、請求項１乃至請求項４のいずれか１項に記載の発明は、電子機器本体として、テレビ受信装置本体を使用する場合に、好適に使用できる。
【発明の効果】
【００１６】
本発明によれば、リモコン装置を探索するためのロケータ機能を有する電子機器において、リモコン装置の識別コードの設定を容易に行うことができ、ユーザーの利便性を向上させることができる。
【発明を実施するための最良の形態】
【００１７】
以下に、本発明の好適な実施形態について説明する。図１は、本発明の実施形態に係る電子機器の全体構成を示す概略図である。図１に示すように、この電子機器１は、電子機器本体２と、電子機器本体２の操作を行うためのリモコン装置３を備えている。
【００１８】
電子機器本体２は、リモコン装置３からの信号光を受光する受光素子４と、当該受光素子４を介して、リモコン信号を受信するリモコン信号受信部５を備えている。また、電子機器本体２は、所在の判らなくなったリモコン装置３を探索するとともに、リモコン装置３の識別コードを設定・変更するための操作スイッチ６と、リモコン装置３の識別コードを記憶するための識別コード記憶部７と、送信用のアンテナ８を介して、位置検出信号をリモコン装置３に向けて送信するための位置検出信号送信部９とを備えている。また、電子機器本体２は、操作スイッチ６、リモコン信号受信部５、識別コード記憶部７、および位置検出信号送信部９に接続され、リモコン信号受信部５、識別コード記憶部７、および位置検出信号送信部９の制御を行う第１の制御部であるＣＰＵ１０を備えている。
【００１９】
リモコン装置３は、ユーザーが電子機器本体２の操作を行うための操作部１１と、操作部１１の操作内容に対応したリモコン信号を送信するリモコン信号送信部１２と、リモコン信号に対応する赤外線等の信号光を発光する発光素子１３を備えている。また、リモコン装置３は、受信用のアンテナ１４を介して、電子機器本体２から送信された位置検出信号を受信する位置検出信号受信部１５と、リモコン装置３の所在を報知するための報知部１６と、リモコン装置３の識別コードを記憶するための識別コード記憶部１９を備えている。また、リモコン装置３は、操作部１１、リモコン信号送信部１２、位置検出信号受信部１５、報知部１６、および識別コード記憶部１９に接続され、リモコン信号送信部１２、報知部１６、および識別コード記憶部１９の制御を行う第２の制御部であるＣＰＵ１７と、当該ＣＰＵ１７に接続されたメモリであるＲＯＭ１８を備えている。なお、ＣＰＵ１７は、ＲＯＭ１８に記憶されているプログラムに従い、各部の制御を行う。
【００２０】
図２は、本発明の実施形態に係るリモコン装置の外観を示す図である。なお、ここでは、テレビ受信装置に使用されるリモコン装置を例に挙げて説明する。図２に示すように、リモコン装置３の操作部１１には、複数の操作キー２１が設けられており、当該操作キー２１は、電源キー３０、チャンネルキー３１，３２、音量キー３３、放送形式切換キー３５、および報知停止用スイッチ３６から構成されている。電源キー３０は、電子機器本体２であるテレビ受信装置本体のＯＮ／ＯＦＦ切換を行う際に操作するためのものであり、チャンネルキー３１，３２は、テレビ受信装置本体のチャンネルを切換える際に操作するためのものである。また、音量キー３３は、テレビ受信装置本体の音量調整を行う際に操作し、「＋」キーを操作すると、テレビ受信装置本体の音量が上がり、「−」キーを操作すると、テレビ受信装置本体の音量が下がるように構成されている。また、放送形式切換キー３５は、テレビ受信装置で受信する放送形式（ＢＳデジタル放送、ＣＳデジタル放送、地上波デジタル放送、地上波アナログ放送、およびケーブル放送）を切換える際に操作するためのものである。また、報知停止用スイッチ３６は、報知部１６による報知を停止させるためのものである。なお、図２に示すように、リモコン装置３には、当該リモコン装置３の電源としての電池３４が設けられている。
【００２１】
以上の構成の下、ユーザーにより、リモコン装置３の操作部１１の操作が行われると、ＣＰＵ１７は、操作部１１の操作内容に対応したリモコン信号を送信するように制御信号を発生し、リモコン信号送信部１２が、当該制御信号に基づいて、操作部１１の操作内容に対応したリモコン信号を電気信号として送信する。次いで、発光素子１３において、電気信号であるリモコン信号が赤外線等の光信号に変換されるとともに、当該光信号が電子機器本体２に向けて発光される。次いで、電子機器本体２の受光素子４が、光信号であるリモコン信号を受光するとともに、受光した光信号の光量に応じて、光信号であるリモコン信号を電気信号に変換する。次いで、電気信号に変換されたリモコン信号が、リモコン信号受信部５において受信されるとともに、リモコン信号受信部５を介して、ＣＰＵ１０に入力される。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００２２】
次に、所在の判らなくなったリモコン装置３を探索する際の手順について説明する。図３は、本発明の実施形態に係る電子機器において、リモコン装置を探索する際の手順を示すフローチャートである。
【００２３】
リモコン装置３の所在が判らなくなった場合は、まず、電子機器本体２に設けられたリモコン装置探索用の操作スイッチ６を操作する（ステップＳ１）。そうすると、ＣＰＵ１０は、操作スイッチ６の操作を検知して、リモコン装置３の位置を検出するための位置検出信号を生成するとともに、位置検出信号送信部９に対して、位置検出信号を送信するように制御信号を発生し、位置検出信号送信部９が、送信用のアンテナ８を介して、所定の電波に変調された位置検出信号を、所定期間（例えば、３０秒間）送信する（ステップＳ２）。
【００２４】
次いで、リモコン装置３の位置検出信号受信部１５が、受信用のアンテナ１４を介して、電子機器本体２から送信された位置検出信号を受信するとともに、当該位置検出信号がＣＰＵ１７に入力される（ステップＳ３）。次いで、ＣＰＵ１７は、報知部１６に対して、リモコン装置３の位置を報知するように制御信号を発生し、報知部１６が、所定期間（例えば、３０秒間）、例えば、音声を発生して、リモコン装置３の位置をユーザーに報知する（ステップＳ４）。なお、本実施形態においては、リモコン装置３の電力消費量を小さくして、電源である電池３４の消耗を抑制すべく、受信用のアンテナ１４と位置検出信号受信部１５に対して、所定周期毎（例えば、１０秒毎）に、所定期間（例えば、５秒間）電力を供給する構成としている。
【００２５】
リモコン装置３の所在が判明した場合、報知部１６により発生している音声の報知を強制的に停止させ、報知部１６による報知を停止させる必要があるため、上述の報知停止用スイッチ３６を操作することにより、報知部１６による報知を停止させることができる（ステップＳ５）。より具体的には、報知停止用スイッチ３６の操作が行われると、ＣＰＵ１７は、報知部１６に対して制御信号を発生し、報知部１６による音声の報知を停止させる。
【００２６】
そして、報知部１６による報知が停止した後に、再度の操作キー２１の操作が行われた場合は、通常通り、ＣＰＵ１７は、操作キー２１の操作内容に対応したリモコン信号を送信するように制御信号を発生し、リモコン信号送信部１２が、当該制御信号に基づいて、操作キー２１の操作内容に対応したリモコン信号を送信する。次いで、リモコン信号がリモコン信号受信部５において受信されるとともに、リモコン信号受信部５を介して、ＣＰＵ１０に入力される。そして、当該ＣＰＵ１０により、リモコン信号に基づく電子機器本体２の制御（例えば、電子機器本体２がテレビ受信装置本体の場合は、チャンネルや音量等の制御）が行われる構成となっている。
【００２７】
次に、リモコン装置３の識別コードを設定する際の手順について説明する。図４は、本発明の実施形態に係る電子機器において、リモコン装置の識別コードを設定する際の手順を示すフローチャートである。
【００２８】
リモコン装置３の識別コードを設定する場合は、まず、電子機器本体２に設けられたリモコン装置３の識別コード設定用の操作スイッチ６を操作する（ステップＳ１１）。そうすると、ＣＰＵ１０は、操作スイッチ６の操作を検知して、リモコン装置３の識別コードを設定するための識別コード設定信号を含む位置検出信号を生成するとともに（ステップＳ１２）、位置検出信号送信部９に対して、識別コード設定信号を含む位置検出信号を送信するように制御信号を発生し、位置検出信号送信部９が、送信用のアンテナ８を介して、所定の電波に変調された、識別コード設定信号を含む位置検出信号を、所定期間（例えば、１０秒間）送信する（ステップＳ１３）。なお、ＣＰＵ１０は、生成した識別コード設定信号に対応する識別コードを、リモコン装置３の識別コードとして識別コード記憶部７に記憶させる。
【００２９】
また、本実施形態においては、ＣＰＵ１０は、識別コード設定信号を含む位置検出信号を、上述の、リモコン装置３を探索する際に生成される、識別コード設定信号を含まない位置検出信号の強度よりも弱い強度の信号として生成する。これは、リモコン装置３を備えた電子機器１の近隣（例えば、隣接した部屋等）に、他のリモコン装置を備えた他の電子機器が存在する場合、識別コードを設定するために、識別コード設定信号を含む位置検出信号が送信されると、識別コードを設定するリモコン装置のみならず、他のリモコン装置の識別コードも設定してしまうという不都合を回避するためである。
【００３０】
次いで、リモコン装置３の位置検出信号受信部１５が、受信用のアンテナ１４を介して、電子機器本体２から送信された、識別コード設定信号を含む位置検出信号を受信するとともに、当該位置検出信号がＣＰＵ１７に入力される（ステップＳ１４）。次いで、ＣＰＵ１７は、前記識別コード設定信号に基づいて、前記リモコン装置の識別コードを設定するとともに（ステップＳ１５）、設定した識別コードを、リモコン装置３の識別コードとして識別コード記憶部１９に記憶させる。このような構成により、電子機器本体２とリモコン装置３において、別々に識別コードをユーザーが任意に設定する必要がなくなる。
【００３１】
更に、ＣＰＵ１７は、報知部１６に対して、リモコン装置３の識別コードの設定終了を報知するように制御信号を発生し、報知部１６が、所定期間（例えば、１０秒間）、例えば、音声を発生して、リモコン装置３の識別コードの設定終了をユーザーに報知する（ステップＳ１６）。
【００３２】
リモコン装置３の識別コードの設定が終了した場合、報知部１６により発生している音声の報知を強制的に停止させ、報知部１６による報知を停止させる必要があるため、上述の報知停止用スイッチ３６を操作することにより、報知部１６による報知を停止させることができる（ステップＳ１７）。より具体的には、報知停止用スイッチ３６の操作が行われると、ＣＰＵ１７は、報知部１６に対して制御信号を発生し、報知部１６による音声の報知を停止させる。
【００３３】
また、リモコン装置３の識別コード設定後は、電子機器本体２の識別コード記憶部７及びリモコン装置３の識別コード記憶部１９に、予め、同一であり固有の識別コードが記憶されているため、例えば、電子機器本体２から位置検出信号を送信する際に、ＣＰＵ１０が識別コード記憶部７に記憶されている識別コードを読み出し、この識別コードが設定された位置検出信号をリモコン装置３に送信し、リモコン装置３側で位置検出信号を受信すると、受信した位置検出信号に含まれる識別コードが、リモコン装置３の識別コード記憶部１９で記憶している識別コードと一致しているか否かを解析することにより、ＣＰＵ１７は、入力された位置検出信号が、リモコン装置３に対応した電子機器本体２から送信された位置検出信号であるかを確認することができる。このような構成により、リモコン装置３において、電子機器１の周辺にある他の電子機器により送信された他の位置検出信号による誤作動を防止することができる。
【００３４】
また、同様に、例えば、リモコン装置３からリモコン信号を送信する際に、ＣＰＵ１７が識別コード記憶部１９に記憶されている識別コードを読み出し、この識別コードが設定されたリモコン信号を電子機器本体２に送信し、電子機器本体２側でリモコン信号を受信すると、受信したリモコン信号に含まれる識別コードが、電子機器本体２の識別コード記憶部７で記憶している識別コードと一致しているか否かを解析することにより、ＣＰＵ１０は、入力されたリモコン信号が、電子機器本体２に対応したリモコン装置３から送信されたリモコン信号であるかを確認することができる。このような構成により、電子機器本体２において、電子機器１の周辺にある他のリモコン装置により送信された他のリモコン信号による誤作動を防止することができる。
【００３５】
以上に説明した本実施形態によれば、以下の効果を得ることができる。
（１）本実施形態の電子機器１においては、ＣＰＵ１０が、リモコン装置３の識別コードを設定する際に、リモコン装置３の識別コードを設定するための識別コード設定信号を含む位置検出信号を生成するとともに、位置検出信号送信部９が、識別コード設定信号を含む位置検出信号を送信する構成としている。また、ＣＰＵ１７が、位置検出信号受信部１５が識別コード設定信号を含む位置検出信号を受信した場合に、識別コード設定信号に基づいて、リモコン装置３の識別コードを設定する構成としている。従って、電子機器本体２とリモコン装置３において、別々に識別コードをユーザーが任意に設定する必要がなくなるため、識別コードの設定が非常に容易になり、ユーザーの利便性が向上する。
【００３６】
（２）また、ＣＰＵ１０が、リモコン装置３の識別コードを設定する際に、識別コード設定信号を含む位置検出信号を、識別コード設定信号を含まない位置検出信号の強度よりも弱い強度の信号として生成する構成としている。従って、リモコン装置３を備えた電子機器１の近隣（例えば、隣接した部屋等）に、他のリモコン装置を備えた他の電子機器が存在する場合であっても、識別コードを設定するために送信される、識別コード設定信号を含む位置検出信号の到達範囲が狭くなるため、識別コードを設定するリモコン装置のみならず、他のリモコン装置の識別コードも設定してしまうという不都合を回避することが可能になる。
【００３７】
（３）また、ＣＰＵ１７が、識別コード設定信号に基づいて、リモコン装置３の識別コードを設定した場合に、報知部１６にリモコン装置の識別コードの設定終了を報知させる構成としている。従って、リモコン装置３の識別コードの設定終了を利用者に報知することが可能になる。
【００３８】
なお、上記実施形態は以下のように変更しても良い。
・上記実施形態においては、報知部１６は、音声を発生することにより、リモコン装置３の位置を報知する構成としたが、例えば、振動や光を発生することによりリモコン装置３の位置を報知する構成としても良い。この場合、これらの音声、振動、および光のうちの少なくとも１つを発生することにより、リモコン装置３の位置を報知する構成とすれば良く、また、音声、振動、および光の発生を、適宜、組み合わせて報知することもできる。
【００３９】
・また、上記実施形態においては、電子機器１としてテレビ受信装置を例に挙げて説明したが、本発明は、例えば、パーソナルコンピュータ、エアコン、カーナビゲーション装置等の電子機器においても適用できることは言うまでもない。
【産業上の利用可能性】
【００４０】
本発明の活用例としては、ロケータ機能を有する、リモコン装置を備えたテレビ受信装置等の電子機器が挙げられる。
【図面の簡単な説明】
【００４１】
【図１】本発明の実施形態に係る電子機器の全体構成を示す概略図である。
【図２】本発明の実施形態に係るリモコン装置の外観を示す図である。
【図３】本発明の実施形態に係る電子機器において、リモコン装置を探索する際の手順を示すフローチャートである。
【図４】本発明の実施形態に係る電子機器において、リモコン装置の識別コードを設定する際の手順を示すフローチャートである。
【符号の説明】
【００４２】
１…電子機器、２…電子機器本体、３…リモコン装置、５…リモコン信号受信部、６…操作スイッチ、７…識別コード記憶部、９…位置検出信号送信部、１０…ＣＰＵ（第１の制御部）、１１…操作部、１２…リモコン信号送信部、１５…位置検出信号受信部、１６…報知部、１７…ＣＰＵ（第２の制御手段）、１９…識別コード記憶部、２１…操作キー
【図１】
2009253451.tif 000003
【図２】
2009253451.tif 000004
【図３】
2009253451.tif 000005
【図４】
2009253451.tif 000006